(57)【要約】【課題】消毒薬剤を注入する管の内壁が白濁した場合であっても消毒薬剤の注入口が循環水に接触することを未然に確実に防止できる消毒薬剤注入装置及びこれを用いた循環水浄化装置を提供する。【解決手段】薬剤混合管と水位検知管を平行かつ各々の下部において循環水の循環パイプに連結し、水位検知管のセンサが、水位検知管内の循環水の水位が規定値に達したことを検知した場合に空気供給部から空気を供給して薬剤混合管の内部空間を拡大する。【選択図】図１
2011104543.tif 000002
【特許請求の範囲】
【請求項１】
消毒薬剤を供給する薬剤供給部と、
前記薬剤供給部から供給される消毒薬剤を循環水に注入する薬剤注入部と、
前記薬剤注入部から注入される前記消毒薬剤と循環水とがその内部において混合される薬剤混合管と、
前記薬剤混合管に対して平行に配置されると共にその内部の循環水の水位を検知するためのセンサを有する水位検知管と、
前記薬剤混合管の内部空間と前記水位検知管の内部空間とを連結する連結パイプと、
前記薬剤混合管の内部空間と前記水位検知管の内部空間の少なくとも一方に空気を供給する空気供給部とを備え、
前記薬剤混合管と前記水位検知管は各々の下部において循環水の循環パイプに連結され、
前記薬剤注入部から注入される前記消毒薬剤は前記薬剤混合管の内部空間を落下して前記薬剤混合管内の循環水と混合され、
前記センサが、前記水位検知管内の循環水の水位が規定値に達したことを検知した場合に前記空気供給部から空気を供給することで前記薬剤混合管の内部空間を拡大することを特徴とする消毒薬剤注入装置。
【請求項２】
前記薬剤混合管と前記水位検知管の少なくとも一方はその内部の循環水の水位を外部から視認できる構成であることを特徴とする請求項１に記載の消毒薬剤注入装置。
【請求項３】
前記水位検知管が前記薬剤混合管に対して循環水の流路の上流側に配置されることを特徴とする請求項１又は２に記載の消毒薬剤注入装置。
【請求項４】
請求項１〜３のいずれか一項に記載の消毒薬剤注入装置を備えることを特徴とする循環水浄化装置。
【発明の詳細な説明】
【技術分野】
【０００１】
本発明は循環水に消毒薬剤を注入する消毒薬剤注入装置及びこれを用いる循環水浄化装置に関するものである。
【背景技術】
【０００２】
従来、温泉施設やプール等では循環水浄化装置を用いて、貯水槽で使用した水に消毒用薬剤を注入することで除菌・浄化を行ないながら循環し、再利用を行っている。以下の説明においては、消毒用薬剤を注入しながら循環再利用を行う水・お湯のことを「循環水」と表記する。
通常、循環水に液体の消毒用薬剤を注入するための消毒薬剤注入装置は、消毒薬剤を入れた容器からポンプによって消毒薬剤を圧入し、吐出口から循環水に消毒薬剤を注入している。
しかし、吐出口が循環水に浸るように配置している場合、循環水中の微細な汚濁物質や硫黄等の温泉成分が吐出口に付着していわゆる目詰まりが生じてしまうので、１〜２週間に一回程度の頻繁なメンテナンスが必要になるという問題があった。
【０００３】
このような問題を解消すべく、例えば図６及び図７に示すような消毒薬剤注入装置が知られている（特許文献１）。
図６の循環浄化装置１は、貯水槽３０と、貯水槽３０から送られてくる循環水に含まれている髪の毛等を除去する集毛器４０と、ポンプ１２の動作により塩素系薬剤などの消毒薬剤を注入する消毒薬剤注入装置１０と、集毛器４０で除去できなかった微細な汚濁物質をろ過するろ過器５０と、再利用する循環水を適温に加熱する加熱器６０を備えている。
また、図７の消毒薬剤注入装置１０は、消毒薬剤が入っている消毒薬剤ケース１１と、消毒薬剤を所定分量毎に送り出すポンプ１２と、消毒薬剤が流れるホース１３と、消毒薬剤を注入する注入口１４と、外部から消毒薬剤の注入状況が目視できる透明管１５と、消毒薬剤により消毒された循環水が流れる混合管１６を備えている。
【０００４】
透明管１５には消毒薬剤を落下させる空間部２１が存在し、空間部２１の下部には循環水と消毒薬剤を混合する混合部２２を備えている。このような空間部２１を設けることにより、循環水は注入口１４に接触することがなく、循環水に含まれている微細な汚濁物質や温泉成分等が注入口１４に付着して目詰まりを発生させることはない。その結果、注入口１４からは所定分量毎の消毒薬剤を安定して注入することができる。
また、透明管１５が外部から目視できる構造なので、循環水の水位が注入口１４に接触しそうな高さにある場合には、オペレータが３種類の調節バルブ１７、１８、１９、２０を適宜操作して水位を調節することにより、注入口１４への循環水の接触を防ぐことができる。
【先行技術文献】
【特許文献】
【０００５】
【特許文献１】特開２００４−３０５８１３号公報
【発明の概要】
【発明が解決しようとする課題】
【０００６】
しかし、上述した消毒薬剤注入装置では以下のような問題がある。
すなわち、注入口から落下した消毒薬剤の一部は混合部内の循環水の表面で跳ねて透明管内壁に付着する。また、この際に循環水に含まれる微細な汚濁物質や温泉成分も透明管内壁に付着する。
このように消毒薬剤、汚濁物質、温泉成分等が透明管内壁に付着し、乾燥することで、透明管内壁が白濁してしまい、透明管内部の循環水の水位をオペレータが目視により確認することが困難になるという問題があった。
特に、空間部内の空気は時間の経過と共に次第に循環水中に溶け込んでいくため、空間部の内圧が低下し、結果として循環水の水量が上昇し、注入口に循環水が接触してしまう可能性があり、循環水の水位をオペレータが目視により頻繁にチェックしなければならないという煩雑さがあった。
【０００７】
本発明はこのような問題に鑑み、消毒薬剤を注入する管の内壁が白濁した場合であっても消毒薬剤の注入口が循環水に接触することを未然に確実に防止できる消毒薬剤注入装置及びこれを用いた循環水浄化装置を提供することを目的とする。
【課題を解決するための手段】
【０００８】
本発明の消毒薬剤注入装置は、消毒薬剤を供給する薬剤供給部と、薬剤供給部から供給される消毒薬剤を循環水に注入する薬剤注入部と、薬剤注入部から注入される消毒薬剤と循環水とがその内部において混合される薬剤混合管と、薬剤混合管に対して平行に配置されると共にその内部の循環水の水位を検知するためのセンサを有する水位検知管と、薬剤混合管の内部空間と水位検知管の内部空間とを連結する連結パイプと、薬剤混合管の内部空間と水位検知管の内部空間の少なくとも一方に空気を供給する空気供給部とを備え、薬剤混合管と水位検知管は各々の下部において循環水の循環パイプに連結され、薬剤注入部から注入される消毒薬剤は薬剤混合管の内部空間を落下して薬剤混合管内の循環水と混合され、センサが、水位検知管内の循環水の水位が規定値に達したことを検知した場合に空気供給部から空気を供給することで薬剤混合管の内部空間を拡大することを特徴とする。
また、薬剤混合管と水位検知管の少なくとも一方はその内部の循環水の水位を外部から視認できる構成であることを特徴とする。
また、水位検知管が薬剤混合管に対して循環水の流路の上流側に配置されることを特徴とする。
【発明の効果】
【０００９】
水位検知管に取り付けたセンサが薬剤混合管内部の循環水の水位が規定値に達したことを検知した場合に空気供給部から薬剤混合管の内部空間に空気が供給される。これにより薬剤混合管の内部空間の内圧が上昇し、内部空間が拡大される結果、薬剤混合管内の循環水の水位を低下させることができる。よって、薬剤混合管内の循環水が薬剤注入部に接触する事態を未然に防ぐことができる。また、オペレータが薬剤混合管内の水位を確認する作業の頻度を減らすことができる。
また、薬剤混合管の内面が循環水等により白濁した場合でも、薬剤混合管とは別に水位検知管を設けるので、水位検知管内の循環水の水位を検知することにより薬剤混合管内の循環水の水位も検知でき、循環水の水位を正確に検知することができる。
【００１０】
また、薬剤混合管と水位検知管の少なくとも一方をその内部の循環水の水位が外部から視認できる構成とすると、薬剤注入部から消毒薬剤が適量に注入されているか否かを容易に確認することができる。
また、水位検知管を薬剤混合管に対して循環水の流路の上流側に配置すると、水位検知管内の循環水の水位が薬剤混合管内の循環水の水位よりも若干高い場合には、水位検知管に取り付けたセンサにより、薬剤混合管内の循環水が規定値に到達するタイミングよりも早く水位検知管内の循環水が規定値に到達したことを検知することができるので、水位検知管を薬剤混合管に対して循環水の流路の下流側に配置する場合と比較してより確実に消毒薬剤注入装置の動作を制御できる。
【図面の簡単な説明】
【００１１】
【図１】消毒薬剤注入装置の構成を示す側面図である。
【図２】循環水浄化装置の構成を示す概略図である。
【図３】薬剤混合管の上面図である。
【図４】水位検知管の上面図である。
【図５】消毒薬剤注入装置の他の構成を示す側面図である。
【図６】従来の循環水浄化装置の構成を示す概略図である。
【図７】従来の消毒薬剤注入装置の構成を示す概略図である。
【発明を実施するための形態】
【００１２】
図１及び図２に示すように、本発明の消毒薬剤注入装置１０は、薬剤供給部２０、薬剤注入部３０、薬剤混合管４０、水位検知管５０、連結パイプ６０、空気供給部７０等を備える。
薬剤供給部２０はその内部に消毒薬剤（図示略）を貯留するタンク２１、タンク２１内の消毒薬剤を圧入して薬剤注入部３０に送り出すポンプ２２、タンク２１と薬剤注入部３０とを連結するパイプ２３を備える。
消毒薬剤としては液体の塩素系薬剤が適しているが、必ずしもこれに限るものではなく、日本水道協会規格品、食品添加物認定品あるいは医薬品などとして一般的に広く利用されている消毒薬剤であって液体のものであればよい。
塩素系薬剤としては、例えば次亜塩素酸ナトリウム、次亜塩素酸カルシウム、塩素化イソシアヌル酸などがあり、液体の塩素系薬剤としては例えば次亜塩素酸ナトリウム溶液が挙げられる。
【００１３】
薬剤注入部３０は薬剤供給部２０から供給される消毒薬剤を循環水に注入するものであり、注入ノズル３１を有する。
注入ノズル３１は薬剤混合管４０の上面側に取り付けられており、その上端は薬剤供給部２０のパイプ２３を介してタンク２１に連結しており、また、その下端は薬剤混合管４０の内部に向けられている。
【００１４】
薬剤混合管４０は、薬剤注入部３０の注入ノズル３１から注入される消毒薬剤と循環水とをその内部において混合するための筒状の管である。
薬剤混合管４０はその内部の循環水の水位が外部から視認できる程度に透明度を持ったアクリル樹脂で形成されている。
なお、薬剤混合管４０はその内部の循環水の水位が視認できる構成であることが好ましく、例えば薬剤混合管全体を透明や半透明のプラスチックやガラスで構成したり、あるいは薬剤混合管自体は内部を視認できない材料で構成すると共に上下方向にのびる透明又は半透明のスリット部を設けて、当該スリット部から内部の循環水の水位を視認する構成としてもよい。
【００１５】
図３に示すように、薬剤混合管４０の上部はアクリル樹脂製の透明部材である蓋４１で塞がれている。蓋４１に形成された第一開口部４１ａには注入ノズル３１が挿入されて固定されており、第二開口部４１ｂには後述する連結パイプ６０が挿入されて固定されている。また、薬剤混合管４０の下部は循環パイプ８０に連結されており、循環パイプ８０に対して垂直上方にのびている。
蓋４１には薬剤混合管４０の外径とほぼ同じ寸法の開口部（図示略）が設けられており、この開口部の内面にメスねじが成形されている。一方、薬剤混合管４０の外周面の上端部にはオスねじが成形されており、このオスねじに蓋４１のメスねじを螺合することで薬剤混合管４０と蓋４１とが接合されている。このように接合することで、仮に蓋４１と薬剤混合管４０とを接着剤により接合する場合と比較して循環水の漏れが発生する可能性を抑えることができる。また、蓋４１と薬剤混合管４０とを一体成形する場合と比較して製造コストを抑えることができる。また、薬剤混合管４０と蓋４１を透明部材とすることで、注入ノズル３１から消毒薬剤が注入される様子を外部から視認することができる。
詳しい説明は後述するが、循環パイプ８０内を循環する循環水はその水圧に応じた高さまで薬剤混合管４０内を上昇している。薬剤混合管４０の内部であって循環水の上方には空間（内部空間４２）が存在しており、注入ノズル３１から注入された消毒薬剤はこの内部空間４２を落下して循環水と混ざり合うことになる。
【００１６】
連結パイプ６０は薬剤混合管４０の内部空間４２と水位検知管５０の内部空間５３とを連結するための中空部材である。連結パイプ６０の一方の端部は薬剤混合管４０の第二開口部４１ｂに固定されており、他方の端部は水位検知管５０の第三開口部５２ａ（図４を参照）に固定されている。このように、薬剤混合管４０の内部空間４２と水位検知管５０の内部空間５３とを連結パイプ６０を介して連結しているので、薬剤混合管４０の内部空間４２における内圧と水位検知管５０の内部空間５３における内圧は常に等しい状態に保たれている。
【００１７】
水位検知管５０は、その内部の循環水の水位を検知するためのセンサ５１を有する筒状の管である。
水位検知管５０はその内部の循環水の水位が外部から視認できる程度に透明度を持ったアクリル樹脂で形成されている。
なお、水位検知管５０はその内部の循環水の水位が視認できる構成であることが好ましく、例えば水位検知管全体を透明や半透明のプラスチックやガラスで構成したり、あるいは水位検知管自体はその内部を視認できない材料で構成すると共に上下方向にのびる透明又は半透明のスリット部を設けて、当該スリット部から内部の循環水の水位を視認する構成としてもよい。
【００１８】
図４に示すように、水位検知管５０の上部は蓋５２で塞がれている。蓋５２に形成された第三開口部５２ａには上述した連結パイプ６０が挿入されて固定されている。また、水位検知管５０の下部は循環パイプ８０に連結されており、循環パイプ８０に対して垂直上方であって、薬剤混合管４０の長手方向に対して平行となるように配置されている。
なお、循環水は循環パイプ８０内を図１に示す左側から右側に流れており、水位検知管５０は薬剤混合管４０に対して循環水の流路の上流側に配置されている。
【００１９】
水位検知管５０には循環水の上限位置９０と下限位置９１とが予め設定されている。上述のように水位検知管５０は薬剤混合管４０に対して平行になるように配置されており、かつ水位検知管５０と薬剤混合管４０のそれぞれの内部空間５３、４２の内圧は連結パイプ６０によって常に等しい状態に保たれている。従って、薬剤混合管４０内の循環水の水位と水位検知管５０内の循環水の水位はほぼ一致している。そこで、薬剤混合管４０内の循環水が薬剤注入部３０の注入ノズル３１に接触せず、薬剤混合管４０の内部空間４２が適当に確保できる位置を薬剤混合館内の循環水の上限であると予め規定しておき、この位置と同じ高さに相当する水位検知管５０側の位置を「上限位置９０」として予め規定している。また、上限位置９０よりも低い位置を薬剤混合管４０内の循環水の下限であると予め規定しておき、この位置と同じ高さに相当する水位検知管５０側の位置を「下限位置９１」として予め規定している。
なお、本実施の形態においては上限位置９０と下限位置９１は薬剤混合管４０及び水位検知管５０の外周面に表記されているものとするが、表記されていなくてもよく、あるいは薬剤混合管４０と水位検知管５０のいずれか一方にのみ表記されていてもよい。
【００２０】
センサ５１は水位検知管５０の外周面上の上限位置９０に固定金具５４によって取り付けられている。センサ５１の種類は水位検知管５０内部の循環水の水位を検知できるものであれば特に限定されないが光センサや後述する電極式水位センサを用いるのが適している。光センサとして例えば赤外線センサを利用する場合には赤外線の照射部と受光部とを水位検知管５０の側面であって互いに対向する位置に取り付ければよい。そして、水位検知管５０内部の水位が上昇し、上限位置９０に達した時点で照射部から照射される赤外線の照射量が受光部において減少することにより、水位検知管５０内部の循環水の水位が上限位置９０（規定値）に達したことを検知することができる。但し、赤外線センサ等の光センサを水位検知管５０の外周面上に取り付ける場合には、少なくとも赤外線が水位検知管５０内部を通過できるように取り付け位置近傍の水位検知管５０の材質を選択する必要がある。
【００２１】
空気供給部７０は薬剤混合管４０の内部空間４２と水位検知管５０の内部空間５３の少なくとも一方に空気を供給するためのものであり、コンプレッサー７１、電磁弁７２、パイプ７３等を備えている。
コンプレッサー７１の空気吐出口７４には電磁弁７２を介してパイプ７３の一方の端部が取り付けられており、パイプ７３の他方の端部は薬剤混合管４０側の連結パイプ６０に接続されている。
また、電磁弁７２は制御盤７５に接続されており、制御盤７５によってその動作が制御されている。
【００２２】
次に、消毒薬剤注入装置１０の動作について説明する。
まず、薬剤供給部２０のタンク２１内に予め液体の消毒薬剤を貯留しておくと共に水位検知管５０内の循環水の水量が上限位置９０と下限位置９１の間にあることを確認する。
次に、ポンプ２２を駆動させて薬剤注入部３０の注入ノズル３１を介して薬剤混合管４０内に所定量の消毒薬剤を注入していく。
注入された消毒薬剤は薬剤混合管４０の内部空間４２内を自由落下していき、循環水と混ざり合う。なお、消毒薬剤の注入量は循環水中の消毒薬剤濃度が基準値内に収まるように適宜調整すればよい。
薬剤注入開始から時間が経過するにしたがい、薬剤混合管４０の内部空間４２に存在する空気は次第に薬剤混合管４０内の循環水に溶け込んでいく。ここで、薬剤混合管４０及び水位検知管５０の内部はほぼ気密状態に保たれているため、薬剤注入開始から時間が経過するにしたがって薬剤混合管４０の内部空間４２の内圧が低下し、薬剤混合管４０内の循環水の水位が次第に上昇し始める。
【００２３】
これと同時に水位検知管５０内の循環水も次第に上昇し始め、遂には上限位置９０に到達する。
水位検知管５０内部の循環水の水量が上限位置９０に達したことがセンサ５１により検知されると、センサ５１から制御盤７５に対して信号が出力され、この信号を受信した制御盤７５は電磁弁７２を開放し、コンプレッサー７１から所定量の空気を薬剤混合管４０に送り込む。
薬剤混合管４０に空気が送り込まれることにより、薬剤混合管４０の内部空間４２の内圧が上昇し、内部空間４２が拡大される結果、薬剤混合管４０内の循環水の水位が減少する。
これにより薬剤混合管４０内の循環水が薬剤注入部３０の注入ノズル３１に接触する事態を未然に防ぐことができる。
【００２４】
なお、薬剤混合管４０の内部空間４２と水位検知管５０の内部空間５３とは連結パイプ６０により内圧が等しくなるように保たれているので、所定量の空気が薬剤混合管４０に送り込まれると同時に水位検知管５０の内部空間５３も拡大されることになる。これにより、薬剤混合管４０内の循環水と同様に水位検知管５０内の循環水の位置も上限位置９０から減少していく。
そして、センサ５１から制御盤７５に対して信号が出力されてから一定時間が経過した時点で制御盤７５からの指令に基づいて電磁弁７２が閉鎖される。
なお、コンプレッサー７１から薬剤混合管４０に送り込む空気の量は薬剤混合管４０及び水位検知管５０の内部空間４２、５３の体積や上限位置９０と下限位置９１との関係等を考慮して予め規定しておけばよく、例えば上述のようにタイマーを利用して一定時間だけ空気を送り込む構成としたり、あるいは一定体積の空気を送り込む構成とすればよい。あるいは、下限位置９１にもセンサを配置しておき、水位検知管５０内の循環水の水位が下限位置９１に到達した時点で電磁弁７２を閉鎖させる構成としてもよい。
【００２５】
なお、本実施の形態においては空気供給部７０からの空気が薬剤混合管４０の内部空間４２に供給されるものとしたが、これに限らず、水位検知管５０の内部空間５３に供給したり、あるいは両内部空間４２、５３に同時に供給する構成としてもよい。
また、本実施の形態で示したように、水位検知管５０が薬剤混合管４０に対して循環水の流路の上流側に配置することが好ましい。これは、水圧等の関係により、循環水の流路の上流側に配置された側の水位の方が若干高くなる場合があることを考慮したものである。すなわち、水位検知管５０を薬剤混合管４０に対して循環水の流路の上流側に配置することで、通常、水位検知管５０内の循環水の水位は薬剤混合管４０内の水位と同等あるいは若干高くなる。仮に水位検知管５０内の循環水の水位が薬剤混合管４０内の水位よりも若干高くなっている場合、水位検知管５０に取り付けたセンサ５１は、薬剤混合管４０内の循環水が現実に上限位置９０に到達するタイミングよりも早く水位検知管５０内の循環水が上限位置９０に到達したことを検知し、制御盤７５に信号を送信することになるので、水位検知管５０を薬剤混合管４０に対して循環水の流路の下流側に配置する場合と比較してより確実に消毒薬剤注入装置１０の動作を制御できるからである。
【００２６】
次に、図５を用いてセンサとして電極式水位センサ５５を用いる場合について説明する。
電極式水位センサ５５は第一電極棒５６、第二電極棒５７及び第三電極棒５８を備える。各電極棒はその上端部が水位検知管５０の外部に露出した状態で蓋５２に固定されており、制御盤７５に接続している。また、第一電極棒５６の下端部は下限位置９１よりも下方に位置しており、常に循環水に浸っている。第二電極棒５７の下端部は下限位置９１と一致しており、第三電極棒５８の下端部は上限位置９０と一致している。
各電極棒間の導通状態は水位検知管５０内の循環水の水位に応じて変化し、この変化に応じて制御盤７５が電磁弁７２の開閉動作をコントロールする構成になっている。
すなわち、水位検知管５０内の水位が上限位置９０に至ったときは、第一電極棒５６、第二電極棒５７及び第三電極棒５８は全て循環水に浸っているため、この状態を検知した制御盤７５が電磁弁７２を開放し、コンプレッサー７１から所定量の空気を薬剤混合管４０に送り込み、循環水の水位を減少させる。そして、水位が下限位置９１まで下がった時点では第一電極棒５６のみが循環水に浸っているため、各電極棒間で電流が流れなくなる。この状態を検知した制御盤７５は薬剤混合管４０への空気の送り込みを停止する。
このように、センサとして電極式水位センサ５５を用いた場合であっても薬剤混合管４０内の循環水が薬剤注入部３０の注入ノズル３１に接触する事態を未然に防ぐことができる。また、センサとして光センサを用いる場合と比較して製造コストを低減することができる。なお、図５の符号５９は空気抜き弁であり、消毒薬剤注入装置１０のメンテナンスを行う際に薬剤混合管４０及び水位検知管５０の内部の圧力を下げるために使用する。
【００２７】
次に、図２を用いて消毒薬剤注入装置１０を温泉の循環水浄化装置１００に適用する場合について説明する。
循環水浄化装置１００は、浴槽１０１から送られてくる循環水に含まれている髪の毛等を除去するヘアキャッチャー１０２、循環水を循環パイプ８０内で循環させるためのろ過ポンプ１０３、本発明の消毒薬剤注入装置１０、ヘアキャッチャー１０２で除去できなかった微細な汚濁物質をろ過するろ過器１０４、循環水を適温に加熱する熱交換器１０５等を備えている。消毒薬剤注入装置１０の薬剤混合管４０と水位検知管５０はブラケット１０６を介して循環パイプ８０の一部に取り付けられている。
【００２８】
つづいて循環水浄化装置１００の動作を説明する。
浴槽１０１で使用された循環水はろ過ポンプ１０３の吸引力によって浴槽１０１の吸込口１０１ａから排出されて、循環パイプ８０内を流れ、ヘアキャッチャー１０２に至る。ヘアキャッチャー１０２では例えばフィルターなどによって髪の毛等の汚濁物質を除去するが、微細な汚濁物質までは除去できない。
ヘアキャッチャー１０２を通過した循環水は消毒薬剤注入装置１０に至り、所定量の消毒薬剤が混合されて消毒される。
消毒された循環水はろ過器１０４に至り、ヘアキャッチャー１０２で除去できなかった微細な汚濁物質がろ過され、次に熱交換器１０５において適温に過熱されて浴槽１０１の吐出口１０１ｂから浴槽１０１に至り再利用されることになる。
なお、本発明の消毒薬剤注入装置１０は上記温泉のみならずプール、家庭用浴槽その他水を循環させ、適宜消毒を行って再利用するシステムに利用できる。
また、循環水浄化装置１００がろ過器１０４、熱交換器１０５、循環パイプ８０等からなる一つの浴槽循環系統と一つの消毒薬剤注入装置１０で構成されて、一つの浴槽１０１内の循環水を浄化するものとした。消毒薬剤注入装置１０は一つの浴槽循環系統に対して一つ必要になるものであり、例えば、男湯用の浴槽と女湯用の浴槽とが別々の浴槽循環系統になっている場合には、各浴槽循環系統に一つずつ計二つの消毒薬剤注入装置１０が必要になる。大規模温泉施設では男湯と女湯のそれぞれに露天風呂やジェット風呂を設ける場合が多く、この場合、浴槽循環系統が十以上必要となり、各浴槽循環系統に一つずつ消毒薬剤注入装置１０を取り付ける必要がある。
また、浴槽循環系統が複数（例えば四系統）ある場合であっても、コンプレッサー７１を一つだけ配置し、このコンプレッサー７１に浴槽循環系統の数に応じた複数（例えば四つ）の電磁弁７２を取り付け、各電磁弁７２の動作を一つの制御盤７５で制御する構成としてもよい。
【産業上の利用可能性】
【００２９】
本発明は薬剤混合管内の循環水が薬剤注入部に接触する事態を未然に防ぐことができ、また、薬剤混合管内が白濁した場合であっても循環水の水位を正確に検知することができるものであり、産業上の利用可能性を有する。
【符号の説明】
【００３０】
１０    消毒薬剤注入装置
２０    薬剤供給部
２１    タンク
２２    ポンプ
２３    パイプ
３０    薬剤注入部
３１  注入ノズル
４０  薬剤混合管
４１  蓋
４１ａ  第一開口部
４１ｂ  第二開口部
４２    内部空間
５０    水位検知管
５１    センサ
５２    蓋
５２ａ  第三開口部
５３    内部空間
５４    固定金具
５５    電極式水位センサ
５６    第一電極棒
５７    第二電極棒
５８    第三電極棒
６０    連結パイプ
７０    空気供給部
７１    コンプレッサー
７２    電磁弁
７３    パイプ
７４    空気吐出口
７５    制御盤
８０    循環パイプ
９０    上限位置
９１    下限位置
１００  循環水浄化装置
１０１  浴槽
１０１ａ  吸込口
１０１ｂ  吐出口
１０２  ヘアキャッチャー
１０３  ろ過ポンプ
１０４  ろ過器
１０５  熱交換器
１０６  ブラケット
【図１】
2011104543.tif 000003
【図２】
2011104543.tif 000004
【図３】
2011104543.tif 000005
【図４】
2011104543.tif 000006
【図５】
2011104543.tif 000007
【図６】
2011104543.tif 000008
【図７】
2011104543.tif 000009